(57)【特許請求の範囲】
【請求項１】
主電源のオンオフを入力する主電源スイッチと、加熱コイルを含むインバータ部を制御する制御部と、動作状態を設定する操作部と、設定状態を表示する表示部と、設定状態を音声にて報知する報知部と、前記表示部と前記報知部のいずれかまたは両方で操作方法の説明を行う動作説明モードに移行するためのモード移行部と、を備え、
前記動作説明モードに移行し、前記操作部の入力が有り説明を開始してから、操作方法の説明を行っている間は、前記操作部への入力を無効とし、
操作方法の説明が終了すると、前記操作部への入力を有効にし、前記動作説明モードを継続するとともに、
前記動作説明モードに移行後、前記モード移行部への入力があると、前記動作説明モードを終了し、通常モードに移行する誘導加熱調理器。
【請求項２】
前記動作説明モードに移行後、前記主電源スイッチへの入力が有ると主電源オフモードに移行する請求項１に記載の誘導加熱調理器。
【請求項３】
前記動作説明モードにて操作方法の説明を終了すると、前記操作部による動作説明の選択操作を受け付け可能な状態にするとともに、前記操作部への動作説明の選択操作が有効であることを前記表示部または前記報知部にて知らせる構成とした請求項１または２に記載の誘導加熱調理器。
【発明の詳細な説明】
【技術分野】
【０００１】
本発明は、一般家庭及び業務用として使用される加熱調理器に関するものである。
【背景技術】
【０００２】
従来、この種の加熱調理器は、直火を使わない安全な加熱装置として普及しつつあり、視覚障害者や高齢者にも安全な加熱装置として認識されている。また、便利性を向上させるため、操作スイッチに連動して音声を発生させるものが種々提案されている。
【０００３】
例えば、誘導加熱調理器は、現在の動作状態を確認する確認スイッチを備え、確認スイッチの操作で現在の動作状態を音声報知手段により報知している。例えば「湯沸かし動作中です。」、「湯沸かし後保温中です。」、「揚げ物動作中です。」など、行われている加熱動作の現在の状態を簡潔に表現する内容にしてある（例えば、特許文献１参照）。
【０００４】
使用者が加熱開始手段を操作すると、その操作内容を音声報知手段で確認することによって、誤認による誤操作を低減させる方法も考案されている（例えば、特許文献２参照）。
【先行技術文献】
【特許文献】
【０００５】
【特許文献１】特開２００７−０７８３０３号公報
【特許文献２】特開２００７−１９４０１０号公報
【発明の概要】
【発明が解決しようとする課題】
【０００６】
しかしながら、前記従来の構成では、多くの機能や多くの操作スイッチをもつ加熱調理器において、使用者が動作説明モードに移行させたいと意図していなくても操作する度に現在の動作状態や操作スイッチ名称を説明してしまうので、使用者が煩わしいと感じてしまうという課題を有していた。
【０００７】
また、現在の動作状態や操作スイッチ名称を説明する確認スイッチがそれぞれ必要になり、それらを構成する部品が増加し、また、操作部におけるスペースが減少するという課題も有していた。
【０００８】
本発明は、前記従来の課題を解決するもので、機器の操作方法を使用者に説明することができるだけでなく、使用者が動作説明モードに移行させて操作方法の説明が行われている間は、操作部への入力を全て無効とすることにより、意図しない操作によって、操作方法の説明が中断されたり終了してしまうことを防ぎ、確実に操作方法の説明を聞くことを可能とし、使用者の使い勝手を向上することができる誘導加熱調理器を提供することを目的とする。
【課題を解決するための手段】
【０００９】
主電源のオンオフを入力する主電源スイッチと、加熱コイルを含むインバータ部を制御する制御部と、動作状態を設定する操作部と、設定状態を表示する表示部と、設定状態を音声にて報知する報知部と、前記表示部と前記報知部のいずれかまたは両方で操作方法の説明を行う動作説明モードに移行するためのモード移行部と、を備え、前記動作説明モードに移行し、前記操作部の入力が有り説明を開始してから、操作方法の説明を行っている間は、前記操作部への入力を無効とし、操作方法の説明が終了すると、前記操作部への入力を有効にし、前記動作説明モードを継続するとともに、前記動作説明モードに移行後、前記モード移行部への入力があると、前記動作説明モードを終了し、通常モードに移行するものである。
【００１０】
これによって、動作説明モードにて操作方法の説明を行っている間に、操作部への入力があっても、操作方法の説明を確実に聞くことが可能となり、使用者の使い勝手を向上することが出来る加熱調理器を提供することを目的とする。
【００１１】
また動作説明モードに移行し操作方法の説明を行っている間も、モード移行部への入力があると、動作説明モードを終了することにより、操作方法の説明を確実に聞くことが出来るとともに、説明を終了したい場合にも、容易に終了することが可能となる。
【００１２】
さらに、操作方法の説明が終了し、操作が可能になっていることを知らせることにより、使用者が次の操作へスムーズに移行することができ、使い勝手を更に向上することもできる。
【発明の効果】
【００１３】
本発明の加熱調理器は、操作方法を説明している途中での意図せぬ操作により、操作方法の説明が中断されることを防ぎ、確実に操作方法を聞くことを可能とし、調理器の機能やスイッチに対する理解度を高め、使い勝手を向上することが出来る。また、動作説明モードを終了したい場合にも、容易に終了することが可能となり、使用者の使い勝手を更に向上することが出来る。
【図面の簡単な説明】
【００１４】
【図１】本発明の実施の形態１、２における加熱調理器のブロック図
【図２】本発明の実施の形態１におけるトッププレート１の上面図
【図３】本発明の実施の形態１における加熱調理器の動作フローチャート
【図４】発明の第１の実施の形態における動作説明モードの動作フローチャート
【図５Ａ】本発明の実施の形態１における動作説明モードの表示部を示す図
【図５Ｂ】本発明の実施の形態１における動作説明モードの表示部を示す図
【図５Ｃ】本発明の実施の形態１における動作説明モードの表示部を示す図
【図５Ｄ】本発明の実施の形態１における動作説明モードの表示部を示す図
【図５Ｅ】本発明の実施の形態１における動作説明モードの表示部を示す図
【図５Ｆ】本発明の実施の形態１における動作説明モードの表示部を示す図
【図５Ｇ】本発明の実施の形態１における動作説明モードの表示部を示す図
【発明を実施するための形態】
【００１５】
第１の発明は、主電源のオンオフを入力する主電源スイッチと、加熱コイルを含むインバータ部を制御する制御部と、動作状態を設定する操作部と、設定状態を表示する表示部
と、設定状態を音声にて報知する報知部と、前記表示部と前記報知部のいずれかまたは両方で操作方法の説明を行う動作説明モードに移行するためのモード移行部と、を備え、前記動作説明モードに移行し、前記操作部の入力が有り説明を開始してから、操作方法の説明を行っている間は、前記操作部への入力を無効とし、操作方法の説明が終了すると、前記操作部への入力を有効にし、前記動作説明モードを継続するとともに、前記動作説明モードに移行後、前記モード移行部への入力があると、前記動作説明モードを終了し、通常モードに移行することにより、操作方法の説明を中断したり途中で終了することなく、操作方法の説明を最後まで確実に聞くことが可能となり、使用者の使い勝手を向上することが出来る。また、前記動作説明モードに移行し操作方法の説明を行っている間も、前記モード移行部への入力があると、前記動作説明モードを終了し、通常モードに移行する構成とすることにより、操作方法の説明を最後まで確実に聞くことが可能となるだけでなく、動作説明モードを終了したい場合にも、容易に終了することが可能となり、使用者の使い勝手を更に向上することが出来る。
【００１６】
第２の発明は、特に、第１の発明において、前記動作説明モードに移行後、前記主電源スイッチへの入力が有ると主電源オフモードに移行することにより、常に主電源スイッチへの操作が有効であることにより、使用者が電源を切りたいときはいつでも切ることができ、使い勝手を向上できる。
【００１７】
第３の発明は、特に第１または第２の発明において、前記動作説明モードにて操作方法の説明を終了すると、前記操作部による動作説明の選択操作を受け付け可能な状態にするとともに、前記操作部への動作説明の選択操作が有効であることを前記表示部または前記報知部にて知らせる構成とすることにより、使用者が次の操作へスムーズに移行することができ、使用者の使い勝手を更に向上することが出来る。
【００１８】
以下、本発明の実施の形態について、図面を参照しながら説明する。なお、この実施形態によって本発明が限定されるものではない。
【００１９】
（実施の形態１）
図１は、本発明の第１の実施の形態における加熱調理器のブロック図を示すものである。
【００２０】
図２は、本発明の第１の実施の形態におけるトッププレート１の上面図を示すものである。
【００２１】
図３は、本発明の第１の実施の形態における加熱調理器の動作フロー図を示すものである。
【００２２】
図１において本発明の実施形態の誘導加熱調理器は、機器上面に設けられたトッププレート１と、高周波磁界を発生させることによって、トッププレート１上の被加熱物１０を誘導加熱する加熱コイル２（外コイル２ａ及び内コイル２ｂ）と、を備える。トッププレート１は、ガラスなどの電気絶縁物からなり、赤外線を透過する。加熱コイル２は、トッププレート１の下方に設けられている。加熱コイル２は、同心円状に２分割されて外コイル２ａと内コイル２ｂを形成している。外コイル２ａと内コイル２ｂの間に、隙間が設けられている。被加熱物１０は、加熱コイル２の高周波磁界により発生した渦電流によって、発熱する。
【００２３】
トッププレート１の使用者側には、主電源のオンオフを入力する主電源スイッチ１５と、加熱の開始／停止や火力の調整および調理終了までの時間を設定するタイマーなどを使用者が指示できる操作部４が設けられている。また、最終操作したスイッチの名称を説明したり、動作説明モードに移行したりするためのモード移行部となる音声スイッチ１６がある。また、操作部４と被加熱物１０との間に加熱モードや火力やタイマーの残時間などの状態を表示する表示部１２が設けられている。操作部４及び表示部１２の下方には、操作部４及び表示部１２を照射するための光源１４が設けられている。尚、光源は１つに限るものではなく、操作部４を照らすものと表示部１２を照らすものに分けられていてもよく、更には、表示する色も、それぞれ個別となっていても良いし、複数の色を使い分けることも可能である。特に表示部１２を照らすものにおいて、文字を光らせる場合などは、光源１４から白色で照射し、使用者が見やすい構成とすることもできる。
【００２４】
赤外線センサ３は、外コイル２ａと内コイル２ｂとの間の隙間の下方に設けられる。この位置は、加熱コイル２の高周波磁界が強いため、被加熱物１０の底面の略最高温度を検出することができる。被加熱物１０の底面から放射された、被加熱物１０の底面温度に基づく赤外線は、トッププレート１を通って入射し、外コイル２ａと内コイル２ｂとの間の隙間を通って、赤外線センサ３により受光される。赤外線センサ３は、受光した赤外線を検出し、検出した赤外線量に基づいた赤外線検出信号を出力する。
【００２５】
加熱コイル２の下方には、商用電源５から供給される交流電圧を直流電圧に変換する整流平滑部６と、整流平滑部６から供給される直流電圧から高周波電流を生成し、生成した高周波電流を加熱コイル２に出力するインバータ回路７とが設けられる。また、商用電源５と整流平滑部６との間に、商用電源５から整流平滑部６に流れる入力電流を検出するための入力電流検出部９が設けられている。操作部４から送信される信号及び赤外線センサ３が検出した温度に基づいて、制御部８によりインバータ回路７のスイッチング素子のオン／オフを制御し、インバータ回路７から加熱コイル２に供給される高周波電流を制御す
る。特に操作部４からの信号では、火力の設定や加熱のオンオフの操作に基づいて動作したり、揚げ物や焼き物といった調理メニューの操作に基づいた動作を行う。揚げ物や焼き物といった調理メニューにおいては、被加熱物１０の温度を一定に保つように火力を制御する必要があり、まさに赤外線センサ３にて検出した温度に基づいて制御部８にて制御することにより精度の高い温調制御が実現可能となる。
【００２６】
また、報知部１３を有し、最終操作したスイッチの名称を説明したり、動作説明モードなど各設定状態に合わせた音声データを出力するためのスピーカー等で構成される。尚、スピーカーでなく圧電ブザー等でも実現することは可能であるが、音質が悪くなるため、スピーカー等で構成することが望ましい。
【００２７】
図２に、トッププレート１の上面図を示す。トッププレート１には、被加熱物１０の載置場所を示す、少なくとも１つ以上（本実施形態では、加熱部１１ａと加熱部１１ｂの２つ）が印刷により表示されている。加熱コイル２は、加熱部１１ａ、加熱部１１ｂの下方にそれぞれ配置される。加熱部１１ａ、加熱部１１ｂの手前側（使用者側）に、表示部１２が設けられる。表示部１２は、加熱コイル２の出力の大きさ、タイマの残り時間、動作モードを識別するための文字などを表示する。動作モードとは、インバータ回路７の制御による加熱動作の種類であり、例えば、炒めものをするのに適した予熱を行う予熱モード、通常の加熱を行う加熱モード、揚げ物をするのに適した油温調整を行う揚げ物モード、焼き物をするのに適した予熱を行い、引き続き温度調整を行う焼き物モードがある。また、本実施例では動作モードに主電源スイッチ１５押下後、引き続き音声スイッチ１６を操作することによって移行する動作説明モードも含む。また、表示部１２には動作説明モードに移行した後、移行したことを案内する動作説明モード表示部１２ａを含む。
【００２８】
なお、加熱部は第１と第２の２つに限るものではなく、３つ以上有していてもよく、また誘導加熱による加熱部に限る必要はなく、例えばラジエントヒーターやシーズヒーター等による加熱部としても良い。
【００２９】
操作部４Ａと４Ｂからなる操作部４は、表示部１２の手前側（使用者側）に設けられる。操作部４は、複数の静電容量式のスイッチである切／入キー４ａ〜−キー４ｆを含む。スイッチである切／入キー４ａ〜＋キー４ｅは、調理に関する指示を入力するためのスイッチであって、加熱部１１ａ、加熱部１１ｂの数に対応させて設けられている。加熱部１１ａは操作部４Ａに対応する。加熱部１１ｂは操作部４Ｂに対応する。また、動作説明モードに移行するための音声スイッチ１６も表示部１２の手前に設けられている。
【００３０】
各スイッチである切／入キー４ａ〜−キー４ｆには、それぞれ特定の機能が割り当てられている。例えば、切／入キー４ａは、調理の開始及び終了を制御する機能が割り当てられたスイッチである。
【００３１】
メニューキー４ｂは、「加熱」「予熱」「揚げ物」「焼き物」の調理メニューに適した動作モードに切り換える機能が割り当てられたスイッチである。メニューキー４ｂを押下することによって、「加熱」「予熱」「揚げ物」「焼き物」の順に文字やイラストが点滅し、動作モードの選択が切り換えられる。「加熱」「予熱」「揚げ物」「焼き物」の動作モードが選択されているときに、切／入キー４ａが操作されると、選択されている動作モードが決定され、決定された動作モードに対応する表示が点灯し、決定されなかった動作モードに対応する表示が消灯する。
【００３２】
アップキー４ｃは、火力を上げる機能が割り当てられた火力設定スイッチである。ダウンキー４ｄは、火力を下げる機能が割り当てられた火力設定スイッチである。
【００３３】
なお、操作部４は静電容量式のスイッチとしたが、これに限るものではなくタクトスイッチや抵抗膜式、画像認識式、赤外遮光式などのタッチパネルで構成してもよい。
【００３４】
図３に、本発明の第１の実施の形態における動作フロー図を示す。
【００３５】
本実施の形態においては、前述した図１、２のように構成された加熱調理器について、図３の動作フロー図により説明をする。
【００３６】
図３において、主電源スイッチ１５をオンすると、機器に電源が供給され、ｓｔｅｐ１へ移行する。ｓｔｅｐ１では、動作説明モードに移行可能であることを表示部１２や報知部１３にて案内する。
【００３７】
その後、ｓｔｅｐ１ａに移行し、操作部４へのスイッチの入力が有るか無いかの確認を行う。入力があれば通常モードであるｓｔｅｐＡへ移行し、入力がなければｓｔｅｐ２へ移行する。
【００３８】
ｓｔｅｐ２では、音声スイッチ１６が押されたかどうかを判定する。もし音声スイッチ１６が押されると動作説明モードへ移行し、押されてなければｓｔｅｐ１ａに戻り、入力の確認を繰り返し行う。
【００３９】
動作説明モード移行後の詳細については図４を用いて後述する。
【００４０】
また、ｓｔｅｐ１ａで操作部４への入力があるとｓｔｅｐＡへ移行するが、ｓｔｅｐＡは、前記入力に対応する動作説明モード以外のメニュー選択や加熱調理などの通常モード動作を行う。
【００４１】
ｓｔｅｐＢでは、音声スイッチ１６の操作があるかどうかの判定を行う。もし、音声スイッチ１６の操作があればｓｔｅｐＣへ移行し、なければそのまま通常モード動作を継続する。
【００４２】
ｓｔｅｐＣで、通常モード動作時の音声スイッチ１６による入力では、動作説明モード以外の動作を行う。例えば、一度操作し、説明したスイッチの名称を報知部１３にて使用者に聞き直しのため再度説明する動作などがある。なお、本実施の形態で通常モード動作時の音声スイッチ１６の動作を聞き直し動作としたが、音声出力の音量切り替えや音声入り切りなど音声に関わる報知内容もしくは関連動作としてもよい。
【００４３】
ｓｔｅｐＣでの各スイッチの名称説明が終了すると、ｓｔｅｐＤへ移行する。
【００４４】
ｓｔｅｐＤは、主電源スイッチ１５がオフされたかどうかを判定する。オフされたのであれば誘導加熱調理器の動作を終了し、オフされていないのであればｓｔｅｐＢへ移行する。
【００４５】
図４に、本発明の第１の実施の形態における動作説明モードの動作フロー図を示す。
【００４６】
本実施の形態においては、前述した図１、２のように構成された加熱調理器の図３における特に、動作説明モード中の動作について、図４のフロー図により説明をする。
【００４７】
図４において、動作説明モード移行後、ｓｔｅｐ３にて機器の操作方法を説明する動作説明モードに移行したことを表示部１２や報知部１３にて使用者に報知する。
【００４８】
なお、動作説明モード移行の表示部１２を設ける構成としたが、これに限るものではなく、通常使用している表示を利用して、点滅表示や組み合わせの表示にて実現することも可能であるし、さらには、音声のみで移行したことを説明し、動作説明モードに移行したことを表示部で敢えて表示することを避ける構成としてもよい。
【００４９】
次にｓｔｅｐ３ａに移行し、操作部４Ａへのスイッチの入力が有るか無いかの確認を行う。操作部４Ａへ入力があればｓｔｅｐ４ａに移行し加熱部１１ａの操作方法の説明を行う。操作部４Ａへ入力がなければｓｔｅｐ３ｂに移行する。
【００５０】
ｓｔｅｐ３ｂは、操作部４Ｂへのスイッチの入力が有るか無いかの確認を行う。操作部４Ｂへ入力があればｓｔｅｐ４ｂに移行し加熱部１１ｂの操作方法の説明を行う。操作部４Ｂへ入力がなければｓｔｅｐ３ｃに移行する。
【００５１】
ｓｔｅｐ３ｃは、主電源スイッチ１５への入力が有るか無いかの確認を行う。主電源スイッチ１５へ入力があれば主電源オフモードへ移行する。主電源スイッチ１５へ入力がなければｓｔｅｐ３ｄに移行する。主電源オフモードとは電源切の状態であり、再度、主電源スイッチ１５へ入力を与えると通常モードへ移行するものである。
【００５２】
ｓｔｅｐ３ｄは、その他のスイッチへ入力があればｓｔｅｐ４ｄに移行し、その他のスイッチへの入力を無効とする。その他のスイッチへ入力がなければ動作説明モードの先頭に戻る。
【００５３】
このような構成にすることにより、機器の操作方法を使用者に説明することができるだけでなく、使用者が聞きたい加熱部の操作方法を選択することができる。特に、ｓｔｅｐ３ａとｓｔｅｐ３ｂが重要で、操作部４Ａもしくは操作部４Ｂのどちらかを選択して押すことにより、それに対応した加熱部の操作方法の説明を聞くことが可能になる。
【００５４】
ｓｔｅｐ４ａ、ｓｔｅｐ４ｂは操作方法の説明を１度だけ行った後、動作説明モードの先頭へ戻る構成となっている。これにより、ｓｔｅｐ３ａもしくはｓｔｅｐ３ｂにて操作部４Ａもしくは操作部４Ｂへの入力を行うことにより、引き続き操作方法の説明を聞くことが出来る。
【００５５】
図５Ａ〜図５Ｇに、本発明の実施の形態１における動作説明モードの表示部を示す。
【００５６】
図５Ａは全点灯状態を示す。図５Ｂは左右ヒータのメニューキー４ｂ、動作説明モード表示部１２ａの点灯状態を示す。
【００５７】
動作説明モードに移行すると、左右ヒーターのメニューキー４ｂ、動作説明モード表示部１２ａが点滅し（図５Ｃ）、報知部１３にて「操作方法の説明をはじめます。左のヒーターについて説明を聞くときは、左の点滅しているメニューボタンを押してください。右のヒーターについて説明を聞くときは、右の点滅しているメニューボタンを押してください。説明時間は、全体で約８分です。説明を終了したいときは、音声ボタンを押してください。」と報知する。
【００５８】
なお、従来の誘導加熱調理器では魚を焼くグリルヒーターやラジエントヒーターなどを有する構成も存在しており、グリルヒーターやラジエントヒーターの操作方法を選択できる構成にしてもよい。
【００５９】
左ヒーターのメニューキー４ｂを押下し、左ヒーターの動作説明を選択すると、左ヒーターのメニューキー４ｂ、切／入キー４ａが点灯し、動作説明モード表示部１２ａが点滅
し（図５Ｄ）、「左のヒーターについて説明します。調理をはじめる時は、トッププレート上に点灯しているメニューボタンを押します。メニューボタンを押すと、調理メニューの文字が点灯します。」と報知部１３にて報知する。引き続き、左ヒーターのメニューキー４ｂを実際に押下したかのような表示を行い、メニューを順次選択できることを知らせ、「メニューボタンを押すごとに、文字の点滅する位置が変わり、調理したいメニューを選択できます。」と報知部１３にて報知する。
【００６０】
引き続き、メニューキー４ｂを押下したかのような表示を行い（図５Ｆ）、加熱の文字が点滅している状態で切／入キー４ａを押下したかのような表示を行う。これにより、＋キー４ｅ、−キー４ｆ、アップキー４ｃ、ダウンキー４ｄ、切／入キー４ａ、火力バーである火力表示部１２ｂ、選択されていないメニュー表示部１２ｃが点灯し、選択されているメニュー表示部（ここでは加熱）１２ｃ、動作説明モード表示部１２ａは点滅し（図５Ｅ）、「通常の加熱調理を行うときはメニューボタンを押して、加熱の文字が点滅している状態にします。その状態で、スタートボタンを押すと、加熱を始めます。調理を終了するときは、切ボタンを押し、加熱を停止します。」と報知部１３にて報知する。
【００６１】
次に、アップキー４ｃを押下したかのような表示を行い、火力バーである火力表示部１２ｂを「火力９」まで変化させると同時に「加熱中、△ボタンを押すと、火力を変更できます。」と報知する。
【００６２】
次に、タイマの＋キー４ｅを押下したかのような表示を行い、タイマ表示部１２ｄを例えば「０：０５」と表示し、「また、タイマーボタンを押すと、タイマを設定でき、残り時間が表示されます。時間が経過し表示された残り時間がゼロになると、自動的に加熱を停止します。」と報知部１３にて報知する。
【００６３】
なお、タイマ表示部１２ｄにてタイマ残り時間を表示した後、タイマカウントダウン表示を行ってもよい。
【００６４】
そして左ヒーターの操作方法の説明が終了すると、最後に、左右ヒーターのメニューキー４ｂ、動作説明モード表示部１２ａが点灯し（図５Ｇ）、「詳しい説明については、取り扱い説明書をご確認ください。」と報知部１３にて報知する。そして、再度各動作説明モードの選択状態になる。
【００６５】
このような一連の表示と報知の連動した動作により、あたかも実際に操作しているかのような感覚で操作方法を理解することができる。
【００６６】
ここで重要なのが、図４のｓｔｅｐ３ａにて左ヒーターのメニューキー４ｂを押下し、左ヒーターの操作方法の説明を開始してから、図５Ｇの表示に移り左ヒーターの操作方法の説明を終了するまでの間、操作部４への入力があっても全て無効とすることである。
【００６７】
例えば、左ヒーターの操作方法を説明している間に、右ヒーターを聞きたくなった場合に右ヒーターに対応したメニューキー４ｂを押すことにより、左ヒーターの説明の途中であっても、右ヒーターの説明を開始することも可能であるが、本発明では説明中の操作部４への入力を全て無効としている。これは、操作方法の説明を表示と音声で仮想的に説明することに対応したものであり、あたかも操作がなされているように表示と音声が移り変わるため、使用者が操作部４を意図せず不意に押してしまう可能性があるためである。
【００６８】
以上のように、構成された誘導加熱調理器においては前記動作説明モード移行後、前記複数のスイッチの内、操作方法の説明が開始可能な所定スイッチを押下すると、表示部１２と報知部１３の少なくともいずれかで前記所定スイッチの指定する加熱部１１ａもしく
は加熱部１１ｂの操作方法の説明を開始するとともに、操作方法の説明中に操作部４への入力があっても無効とすることにより、使用者が聞きたい機能や操作スイッチの説明を選択することができるとともに、機器の操作方法を使用者に確実に説明することができ、機能やスイッチに対する理解度を高めることが出来、使い勝手を向上させることが可能となる。
【００６９】
尚、本実施の形態では、モード移行部を音声スイッチ１６にて構成し、音声スイッチ１６は音声の音量を変更したりする機能と兼ねる構成としたが、これに限るものではなく、例えば、動作説明モードに移行するための専用キーを設けてモード移行部とすることにより、より使用者に動作説明モードへの移行や終了のための操作を分かりやすくすることが可能である。
【００７０】
また、図４のｓｔｅｐ３ａにて左ヒーターのメニューキー４ｂを押下し、左ヒーターの操作方法の説明を開始してから、図５Ｇの表示に移り左ヒーターの操作方法の説明を終了するまでの間、モード移行部である音声スイッチ１６への入力があった場合のみ、操作方法の説明の途中でも操作方法の説明を中止し、動作説明モードを抜ける構成とすることにより、使用者が操作方法を理解し、すぐに機器を使用したい場合にも速やかに使用することが可能となり、使い勝手を向上することができる。また、動作説明モードへ移行するときに使用するモード移行部である音声スイッチ１６にて、同様に動作説明モードから抜ける構成とすることにより、使用者が動作説明モードを終了するための操作を迷わずに行うことが可能となる。さらには、操作方法の説明の途中でも、主電源スイッチ１５が押されると、機器の電源をオフする構成として、常に主電源スイッチ１５への操作が有効であることにより、使用者が電源を切りたいときはいつでも切ることができ、使い勝手を向上させることも可能である。
【００７１】
また、前述した図５Ｇの表示に移り、操作方法の説明を終了したあと、図５Ｃの表示に戻り、点滅表示にて、操作部４への入力が可能である旨を知らせる構成とすることにより、更に使い勝手を向上することができる。このとき、報知部１３にて操作部４への操作が可能である旨を知らせることにより、更に分かりやすくすることも可能である。また、操作方法の説明を終了してから操作部４への操作が所定時間以上無い場合には、再度、報知部１３にて、操作部４への操作が可能である旨を知らせる構成として、操作部４の操作可能状態を認識しやすくし、より使い勝手を向上することも可能である。
【産業上の利用可能性】
【００７２】
以上のように、本発明にかかる加熱調理器は、動作説明モードに移行して操作方法の説明を行っている間は、操作部への入力を無効とすることにより、操作方法の説明が意図せず中断したり終了することを防ぐことが出来、使用者の使い勝手を向上することができるため、例えば、ＡＶ機器や他の生活家電の用途にも適用できる。
【符号の説明】
【００７３】
１  トッププレート
２  加熱コイル
３  赤外線センサ
４、４Ａ、４Ｂ  操作部
４ａ  切／入キー
４ｂ  メニューキー
４ｃ  アップキー
４ｄ  ダウンキー
４ｅ  ＋キー
４ｆ  −キー
５  商用電源
６  整流平滑部
７  インバータ回路
８  制御部
９  入力電流検出部
１０  被加熱物
１１、１１ａ、１１ｂ  加熱部
１２  表示部
１２ａ  動作説明モード表示部
１２ｂ  火力表示部
１２ｃ  メニュー表示部
１２ｄ  タイマ表示部
１３  報知部
１４  光源
１５  主電源スイッチ
１６  音声スイッチ
【図１】
0005948604.tif 000002
【図２】
0005948604.tif 000003
【図３】
0005948604.tif 000004
【図４】
0005948604.tif 000005
【図５Ａ】
0005948604.tif 000006
【図５Ｂ】
0005948604.tif 000007
【図５Ｃ】
0005948604.tif 000008
【図５Ｄ】
0005948604.tif 000009
【図５Ｅ】
0005948604.tif 000010
【図５Ｆ】
0005948604.tif 000011
【図５Ｇ】
0005948604.tif 000012